(57)【要約】      （修正有）【課題】跳ね返り球が発生しても的確に発射流路への侵入を確実に防止出来る遊技機を提供する。【解決手段】ファール球返しの弁部材を通過し、一旦遊技領域に発射された遊技球が遊技領域内の構造物等に衝突し、弁部材が閉止する前に発射流路に戻ってしまう跳ね返り事象もファール球が発生する要因となっている。そこで、発射流路と遊技領域の境目部に跳ね返り球が発生しても的確に発射流路への侵入を確実に防止する阻止構成を設けた【選択図】図１２
2020103576.tif 000002
【特許請求の範囲】
【請求項１】
遊技球が発射装置によって発射されると、遊技球が上方に転動移動を行う発射流路と、
複数の障害物によって遊技球が落下の方向を変化させながら流下する遊技領域を
有したぱちんこ遊技機において、
前記発射流路と遊技領域の境目部には複数の羽根を有して回転運動を行う回転弁を有し
前記回転弁は所定方向とは逆の方向に回転させる応力に対して回転を阻止する阻止機構が設けられ、
さらに、前記回転弁の一部は遊技球が触れられないよう保護部が設けられている
ことを特徴とするぱちんこ遊技機。
【発明の詳細な説明】
【技術分野】
【０００１】
本発明は、ぱちんこ遊技機に関する。
【背景技術】
【０００２】
従来のぱちんこ遊技機では発射された遊技球、発射後に遊技領域を経由していずれかの入球口、もしくはアウト口を通過した使用済み球、遊技領域に達しなかったファール球回収流路に流入した遊技球は、一部センサによる検出等電気的な検出や、ソフトによる検知は行うものの、すべての遊技球の管理は行っていない。しかし封入式遊技機等においては、遊技者の総持ち球数、発射球数、ファール球数、使用済み玉数をカウントセンサ検出に基づきソフトで遊技球管理を行っている。
【先行技術文献】
【特許文献】
【０００３】
【特許文献１】特開２０１４−１１７５１１号公報
【発明の概要】
【発明が解決しようとする課題】
【０００４】
発射装置から発射された遊技球が発射流路を転動したものの、遊技領域に達することができなかった遊技球は発射流路を逆流しファール球回収流路を経由してファール球としてカウントセンサによりカウントされることになる。しかし、発射された遊技球が遊技領域に達する時間と比較すると発射されてからファール球回収流路を経てカウントセンサに到達するまでの時間ははるかに長いため、その間に起きる遊技機トラブルや持ち球管理の制御面において処理の待ち時間を考慮する必要が発生し処理が煩雑となる。また、ファール球返しの弁部材を通過し、一旦遊技領域に発射された遊技球が遊技領域内の構造物等に衝突し、弁部材が閉止する前に発射流路に戻ってしまう跳ね返り事象もファール球が発生する要因となっている。
【０００５】
本発明は、このような課題に鑑みてなされたものであり、従来にない新たな構成を追加した、ぱちんこ遊技機を提供することを目的とする。
【課題を解決するための手段】
【０００６】
上記課題を解決するために、本発明に係るぱちんこ遊技機は、跳ね返り球が発生しても的確に発射流路への侵入を確実に防止する阻止構成を採用した。
【０００７】
本発明に係るぱちんこ遊技機によれば、これまでにない新たな構成を追加することにより、遊技の興趣性の向上を図ることが可能である
【図面の簡単な説明】
【０００８】
【図１】本実施形態に係るぱちんこ遊技機の正面図である。
【図２】上記ぱちんこ遊技機の枠部材を開放した状態の正面方向の斜視図である。
【図３】上記ぱちんこ遊技機の枠部材を開放した状態の背面方向の斜視図である。
【図４】本実施形態のぱちんこ遊技機に取り付けられた一般的な遊技盤を示す斜視図である。
【図５】本実施形態のぱちんこ遊技機の前面扉を開放した状態の主要部を示す正面図である。
【図６】本実施形態のぱちんこ遊技機にてファール球を事前検出する検出構造実施例１を示す説明図である。
【図７】本実施形態のぱちんこ遊技機にてファール球を事前検出する検出構造実施例１の別実施例を示す説明図である。
【図８】本実施形態のぱちんこ遊技機にてファール球を事前検出する検出構造の別実施例における検出状態を示す検出状態図である。
【図９】本実施形態のぱちんこ遊技機にてファール球を事前検出する検出構造実施例２を示す説明図である。
【図１０】本実施形態のぱちんこ遊技機にてファール球を発射戻り球を賞球口へ誘導する説明図である。
【図１１】本実施形態のぱちんこ遊技機にて電断発生時にファール球のカウントセンサ入球口への入球を阻止する阻止手段の動作説明図である。
【図１２】本実施形態のぱちんこ遊技機にて跳ね返り戻り球を防止する構造の説明図である。
【図１３】本実施形態のぱちんこ遊技機にて跳ね返り戻り球を防止する構造の原理を説明する図である。
【図１４】本実施形態のぱちんこ遊技機にて跳ね返り戻り球を防止する構造の別実施例の説明図である。
【図１５】。本実施形態のぱちんこ遊技機にて跳ね返り戻り球を防止する構造の別実施例の動作説明図である。
【図１６】本実施形態のぱちんこ遊技機にて電断発生時に各カウントセンサ入球口への入球を阻止する阻止手段の動作フォローチャート図である。
【図１７】本実施形態のぱちんこ遊技機にて電断発生時にファール球のカウントセンサ入球口への入球を阻止する阻止手段の別実施例の動作フォローチャート図である。
【図１８】本実施形態のぱちんこ遊技機にて電断発生時にファール球のカウントセンサ入球口への入球を阻止する阻止手段の別実施例の動作フォローチャート図である。
【図１９】本実施形態のぱちんこ遊技機にて電断復帰時に各カウントセンサ入球口への入球を阻止解除時の動作フォローチャート図である。
【発明を実施するための形態】
【０００９】
（前提技術）
以下、本発明の前提とするぱちんこ遊技機（以下「前提技術」）について図面を用いて説明する。前提技術に係るぱちんこ遊技機の代表例として、ぱちんこ遊技機を図１および図３に示すとともに、このぱちんこ遊技機に設けられる遊技盤を図４に示しており、まず、これらの図を参照して、ぱちんこ遊技機の機械構成について説明する。なお、以降の説明においては、便宜上、図２の各矢印で示す方向をそれぞれ、前後方向、左右方向、上下方向と称して説明する。
【００１０】
［ぱちんこ遊技機の機械構成］
始めに、ぱちんこ遊技機Ｐの正面側の基本構造を説明する。ぱちんこ遊技機Ｐは、図１および図２に示すように、外郭方形に構成され、遊技施設において固定される外枠Ｐ１の開口前面に、外枠Ｐ１の開口に合わせたサイズで方形に構成された前枠Ｐ２が互いの正面左側縁部に配設された上下のヒンジ機構（上ヒンジ部１０、下ヒンジ部２０）により横開き開閉および着脱が可能に取り付けられる。
【００１１】
前枠Ｐ２には、遊技盤Ｐ５とガラス枠Ｐ３とが着脱可能にセットされている。ガラス枠Ｐ３は方形状であり、前枠Ｐ２の前面側に上下のヒンジ機構（上ヒンジ部１０、下ヒンジ部２０）を利用して横開き開閉および着脱可能に組み付けられて保持される。遊技盤Ｐ５は、前枠Ｐ２の前面側に着脱可能にセットされ、閉鎖保持されるガラス枠Ｐ３のガラスＰ３０１を通して遊技盤Ｐ５の正面側に設けられた遊技領域Ｐ５０１を遊技者が視認可能に構成されている。また前枠Ｐ２およびガラス枠Ｐ３は、ぱちんこ遊技機Ｐの正面右側縁部に設けられた施錠部Ｐ３０の鍵穴に鍵を挿入し、左右方向のいずれかに回転させることで、回転方向に応じて、外枠Ｐ１と前枠Ｐ２の施錠が解除または前枠Ｐ２とガラス枠Ｐ３の施錠が解除される。具体例としては、施錠部Ｐ３０の鍵穴に鍵を挿入して右方向に回転させると外枠Ｐ１と前枠Ｐ２の施錠が解除され、施錠部Ｐ３０の鍵穴に鍵を挿入して左方向に回転させると前枠Ｐ２とガラス枠Ｐ３の施錠が解除されるようになっている。
【００１２】
ガラス枠Ｐ３の下部には、遊技球を貯留する上下の球皿Ｐ３４０（上球皿Ｐ３４１及び下球皿Ｐ３４２）が設けられる。またガラス枠Ｐ３には、遊技の展開状況に応じて発光する演出ランプＰ３５０や、遊技の展開状況に応じて効果音などの音を出力可能なスピーカＰ３７０が設けられている。ガラス枠Ｐ３の下部中央には、所定の演出操作を行うための演出操作手段Ｐ３８０が取り付けられ、前提技術として示す本ぱちんこ遊技機が有する演出操作手段Ｐ３８０は、押下入力式のボタンＰ３８１と傾倒操作式のレバーＰ３８２とを備えており、ボタンＰ３８１は常時遊技者操作を可能とする一方、レバーＰ３８２はガラス枠に備えられた可動物（枠可動役物Ｐ３６０）の１つであり、操作手段自体が上方に突出した状態（入力許可状態）に変位した場合に操作入力を可能とする（１の演出操作手段にて、複数の操作が可能となっている）。
【００１３】
前枠Ｐ２の右下部には、遊技球の発射操作および発射強度の調整を行うハンドルＰ２０４が設けられている。前枠Ｐ２の下部には、さらに発射装置ユニットＰ２４０を備え、図示を省略するが、上球皿Ｐ３４１に貯留された遊技球を１球ずつ送り出す球送り機構Ｐ２４１、この球送り機構から送り出された遊技球を遊技領域Ｐ５０１へ向けて打ち出す発射機構（ロータリーソレノイドで駆動される打球槌）を有する発射装置Ｐ２４２、球送り機構Ｐ２４１や発射装置Ｐ２４２の作動を同期的に制御する発射制御基板Ｐ２４３などが設けられている。
【００１４】
遊技盤Ｐ５（遊技盤ユニット）は、図４に示すように、透明な合成樹脂や木材を用いて矩形の平板状に形成された基材をベースとして構成されている。なお、図１は遊技盤Ｐ５を含むぱちんこ遊技機Ｐを前面側から見た正面図であり、図４は遊技盤ユニットＰ５の斜視図を示す。図４は遊技盤ユニットに備えられた演出役物Ｐ５６０（「可動演出装置」「演出可動体」「演出可動役物」等とも呼ぶ）が動作している状態を図示している。遊技盤Ｐ５の前面には、左下部から右上部にかけて配設された円弧状の外レールＰ５０２と、遊技盤の下部中央付近から外レールＰ５０２の内側における左下部から左上部にかけて配設された円弧状の内レールＰ５０３と、右上部の外レールＰ５０２の端部から該盤面の下部までの間に配設されて左向きに開く湾曲形状に形成されたレール飾りＰ５０４とを備えており、外レールＰ５０２と内レールＰ５０３とレール飾りＰ５０４とで囲まれた内側に略円形の遊技領域Ｐ５０１が区画形成されている。この遊技領域Ｐ５０１は、略中央に配設される後述のセンター役物Ｐ５４０を基準として、センター役物Ｐ５４０の左側の領域である左側領域Ｐ５０１Ｌ（左打ち領域）と、センター役物の右側の領域である右側領域Ｐ５０１Ｒ（右打ち領域）とを有している。また、外レールと内レールとにより、発射装置ユニットＰ２４０により打ち出された遊技球を遊技領域Ｐ５０１へ案内するための案内通路が形成される。
【００１５】
遊技領域Ｐ５０１には、図示しない多数本の遊技釘Ｐ５１０や風車Ｐ５１１とともに、第１始動入賞口Ｐ７１１（第１始動口）、第２始動入賞口Ｐ７２１（第２始動口）、一般入賞口Ｐ７３１、普図作動口Ｐ７４１（普図作動ゲート装置）、大入賞口Ｐ７５１（アタッカー）、等の各種入球装置（賞球が発生する場合は「入賞装置」と称する）が配設されている。なお、大入賞口は１つとしてもよいし、複数有するよう構成してもよい。また、本明細書において、入球装置の構成上、遊技球が入球装置に入球した後に排出されるもの、入球装置に入球した後にさらに遊技領域Ｐ５０１を流下するもの（ゲートタイプ）に対し、遊技球が内部の検出スイッチで検出されることを「入球」「入賞（特に賞球が発生するもの）」と称し、ゲートタイプの入球口のように下流の遊技領域に流下するものついては、特に「通過」と区別して記載する場合を有する。また、入球装置を入球口、入賞装置を入賞口と称することがある。
【００１６】
また、遊技領域Ｐ５０１の右下には、第１特別図柄表示装置Ｐ５１、第２特別図柄表示装置Ｐ５２、普通図柄表示装置Ｐ５３など、後述の主制御基板にて点灯制御される主制御表示装置Ｐ５０が集約的に配設されている。遊技領域Ｐ５０１の略中央にはセンター役物Ｐ５４０が配設されており、このセンター役物Ｐ５４０の開口を通して演出表示装置Ｐ８０の画面が視認可能に設けられている。このセンター役物Ｐ５４０の上部等には、遊技の展開状況に応じた演出動作を行う演出役物Ｐ５６０（可動役物装置）が設けられている。遊技領域Ｐ５０１の下端部には、各種入球装置の入賞口に入球せずに流下した遊技球が通過可能なアウト口Ｐ７９０が設けられている。各種入賞装置の入賞口に入球した遊技球又はアウト口Ｐ７９０に流入した遊技球は、遊技盤Ｐ５に前後貫通して形成された貫通孔（図示せず）を通じて遊技盤Ｐ５の後面側へ流下し、前枠Ｐ２下部の回収流路（遊技済み球通路）に収集され、発射した遊技球の総数を検出するための前枠下部に備えられたアウト球センサＰ７９２（発射球数センサ）を通過したのち遊技機外へ排出される。
【００１７】
第１始動入賞装置Ｐ７１０は、第１特別図柄遊技に対応する始動入賞装置として設けられている。この第１始動入賞装置Ｐ７１０には、遊技球が入球可能な第１始動入賞口Ｐ７１１が設けられている。第１始動入賞口Ｐ７１１への遊技球の入球は、第１特別図柄に係る抽選に使用される乱数の取得契機となっており、第１始動入賞口Ｐ７１１への遊技球の入球に基づいて入球直後のタイミングまたは保留期間を経過した後に第１特別図柄に係る抽選が実行される。
【００１８】
第２始動入賞装置Ｐ７２０は、第２特別図柄遊技に対応する始動入賞装置として設けられている。この第２始動入賞装置Ｐ７２０には、遊技球が入球可能な第２始動入賞口Ｐ７２１および後述する普通図柄抽選に当選した場合に第２始動入賞口Ｐ７２１への入球を容易となる状態に切り替える可動体である普通電動役物Ｐ７７０が設けられている。第２始動入賞口Ｐ７２１への遊技球の入球は、第２特別図柄に係る抽選に使用される乱数の契機となっており、第２始動入賞口Ｐ７２１への遊技球の入球に基づいて入球直後のタイミングまたは保留期間を経過した後に第２特別図柄に係る抽選が実行される。第２始動入賞装置Ｐ７２１は、普通電動役物Ｐ７７０の作用により遊技球が第２始動入賞口Ｐ７２１へ入球可能又は入球容易な開状態と、遊技球が第２始動入賞口Ｐ７２１へ入球不能又は入球困難な閉状態とに変化する。つまり、第２始動入賞装置Ｐ７２０は、開状態に変位しなければ遊技球が第２始動入賞口へ入球し難い構造となっており、後述の所定の契機（普通図柄抽選に当選する契機）で開状態となると遊技球の入球容易性が高くなる。なお、普通電動役物Ｐ７７０の構造は様々な態様が知られており、可動体Ｐ７７１が開くことによる入球容易性の変化がなされる構造ではない場合があるため、「開状態」「閉状態」をそれぞれ「入球容易状態（入球容易態様）」「入球困難状態（入球困難態様）」と表記する場合を有する。
【００１９】
一般入賞装置Ｐ７３０は、左打ち領域Ｐ５０１Ｌに配置された左側一般入賞装置Ｐ７３０Ｌと、右打ち領域Ｐ５０１Ｒに配置された右側一般入賞装置Ｐ７３０Ｒとを有している。本前提技術におけるぱちんこ遊技機Ｐにおいては、左側一般入賞装置Ｐ７３０Ｌとして、３つの一般入賞口Ｐ７３１Ｌａ〜Ｐ７３１Ｌｃが１のユニットとして構成されている一方、右側一般入賞装置Ｐ７３０Ｒは後述する大入賞装置Ｐ７５０の一部として構成されている。一般入賞口Ｐ７３１への遊技球の入球は、他の入賞装置と同じく賞球払出の契機となる。なお、前提とするぱちんこ遊技機の一般入賞口Ｐ７３１の個数や位置はあくまで一例であり、右打ち領域Ｐ５０１Ｒにのみ配置されるよう構成する等としてもよい。
【００２０】
普図作動ゲート装置Ｐ７４０（普図作動口）は、普通図柄遊技に対応する始動入球口として設けられている。この普図作動ゲート装置Ｐ７４０には、遊技球が通過可能な作動ゲートＰ７４１が設けられており、入球した遊技球は遊技盤の遊技領域の下流をさらに流下可能に構成されている。作動ゲートＰ７４１への遊技球の通過は、第２始動入賞装置Ｐ７２０を開状態とするか否か、すなわち普通電動役物Ｐ７７０を作動させるか否かを決定するための普通図柄抽選の契機となる。なお、変形例として普通図柄抽選の契機となる機能を前述した一般入賞口Ｐ７３１に備えるように構成することも可能であり、この場合には、普通図柄抽選を実行する機能に加えて、賞球を発生させる機能を１の入賞装置として設けることも可能である（普図作動入賞口）。
【００２１】
大入賞装置Ｐ７５０は、第１特別図柄抽選又は第２特別図柄抽選の抽選結果が大当りや小当りとなった場合に開閉動作する大入賞口Ｐ７５１（特別電動役物Ｐ７５５）を有して構成されており、「アタッカー（装置）」などと呼称する場合を有する。大入賞装置Ｐ７５０は、遊技球が大入賞口Ｐ７５１へ入球可能又は入球容易な開状態（例として特別電動役物が作動Ｐ７５５した状態）と、遊技球が大入賞口Ｐ７５１へ入球不能又は入球困難な閉状態（例として特別電動役物Ｐ７５５が非作動の状態）とに変化する。大当り遊技においては、大入賞口Ｐ７５１の開閉動作を伴う複数回のラウンド遊技（単位遊技）が行われる。なお、特別電動役物Ｐ７５５が作動した状態であっても、一連の作動パターン（「開放パターン」とも呼ぶ）により、大入賞口Ｐ７５１を構成する可動体Ｐ７５６が入球困難な閉態様となる場合を有する。
【００２２】
また、大入賞装置Ｐ７５０には、遊技機の仕様（スペック）によっては、遊技球が通過可能な特定領域Ｐ７６０（「Ｖゾーン」、「Ｖ領域」と呼ばれ、機能によっては「確率変動機能作動領域」、「継続領域」などと呼ぶ）が設けられる場合を有する。この「特定領域」に関する機能として、（ア）大当り遊技中の特定領域に対する通過を契機として大当り遊技の後に確率変動機能（後述）を作動させること、（イ）小当り遊技中の特定領域の通過を契機として役物連続作動装置（特別電動役物を連続的に作動させるためのフラグ）を作動させ、大当り遊技を実行する権利を付与すること、（ウ）大当り遊技中の特定のラウンドにおいて特定領域を通過したか否かに基づいて、後続のラウンドの実行を確定的としたり、実行しないものとしたりすること、などが例として挙げられる。なお、「特定領域」に対し、通過の容易性を変化させるための構造体である開閉部材Ｐ７６１（弁部材）が設けられてもよく、開閉部材Ｐ７６１の作用により流下経路を振り分けられることで、特定領域Ｐ７６０又はそれ以外の非特定領域を通過するように構成してもよい。また、大当り遊技中や小当り遊技中において、特定領域Ｐ７６１の遊技球の通過が有効となる期間と無効となる期間とを有してもよい。
【００２３】
なお、前提とするぱちんこ遊技機Ｐにおいて、大入賞装置Ｐ７５０は、遊技領域Ｐ５０１における右側領域Ｐ５０１Ｒ（右打ち領域）に設けられている。そのため、大当り遊技又は小当り遊技では、遊技領域Ｐ５０１に向けて遊技球を発射する際に、右側領域Ｐ５０１Ｒを狙って打つ、いわゆる右打ちを行うことで大入賞口Ｐ７５１への入球が容易となっている。
【００２４】
続いて、前提とするぱちんこ遊技機Ｐの背面側の基本構造を説明する。前枠の背面側には、中央に遊技盤ユニットＰ５を取り付けるために前後連通する窓口を有した裏セットユニットＰ４が取り付けられている。裏セットユニットＰ４には、遊技施設側から供給される多数個の遊技球を貯留する貯留タンクＰ４０１、貯留タンクＰ４０１からの遊技球を流下させる樋部材Ｐ４０２、樋部材により導かれた遊技球を払い出す賞球払出ユニットＰ４１０、賞球払出ユニットＰ４１０から払い出された遊技球を上球皿Ｐ３４１又は下球皿Ｐ３４２へ流下させる裏側通路部材Ｐ４０３などが設けられている。
【００２５】
遊技盤Ｐ５の背面側には、ぱちんこ遊技機Ｐの遊技進行を統括的に制御する主制御基板Ｐ４０や、主制御基板Ｐ４０の制御に伴う遊技進行に合わせた演出全般の制御を行う演出制御基板Ｐ４１、遊技展開に応じた画像表示の制御を行う画像制御基板Ｐ４２などが取り付けられている。なお、本前提技術のぱちんこ遊技機Ｐでは、演出制御基板Ｐ４１および画像制御基板Ｐ４２は、演出表示装置Ｐ８０（液晶表示装置）と一体化されたアッセンブリ状態で演出表示ユニットを構成している。これに対して、裏セットユニットＰ４の背面側には、遊技球の払い出しに関する制御を行う払出制御基板Ｐ４３や、遊技施設側から受電して各種制御基板や電気・電子部品に電力を供給する電源基板Ｐ４４（図示せず）などが取り付けられている。なお、これらの制御基板は、不正改造防止のため、カシメ構造及び封印シール構造を有する透明樹脂製の基板ケースに収容されたアッセンブリ状態で遊技盤Ｐ５の背面又は裏セットユニットＰ４の背面の所定位置にそれぞれ配設される。これらの制御基板とぱちんこ遊技機各部の電気・電子部品とがハーネス（コネクタケーブル）を介して相互に接続されて、ぱちんこ遊技機Ｐにおける遊技の進行や、演出の実行が可能に構成されている。
【００２６】
（島施設より球を補給・排出を行う管理遊技機の構造）
本記載のぱちんこ遊技機は遊技球通路を一部変更することで管理遊技機としても運用できる。以下においては、前述した通常のぱちんこ遊技機との相違点について詳述することとする。なお、管理遊技機とは、遊技球を遊技者が触れられない構造になっているぱちんこ遊技機であり、遊技球の管理としては、遊技機内のみで遊技球を管理する構成や、遊技機と島施設とを循環して遊技球を管理する構成などが例示できる。また、管理遊技機を封入式遊技機と称することがある。
【００２７】
（ファール球事前検出実施例１）
従来のぱちんこ遊技機Ａにおいて、発射戻り球（発射装置１０１から発射されて遊技領域に到達することができず案内通路１０２を逆流する遊技球）が発生した場合はファール球回収通路１０４を通過後、ファール球検知センサを通過し遊技機外部に放出されるが、発射戻り球がファール球センサ２０３に到達するまでの戻り時間としては多くの時間を要するため、発射球数の管理が必要な封入式遊技機においては遊技球管理の制御面でこの戻り時間を考慮する必要があり、処理が煩雑となる。
【００２８】
そこで、本実施例では、発射戻り球がファール球回収通路に流入する前に発射戻り球を予め検出可能とする。図６を元に説明を行うと、本実施例のぱちんこ遊技機は、発射戻り球がファール球回収通路に流入する前に検出可能なファール球事前検出センサ２０１、２０２を有している。
【００２９】
検出センサ２０１、２０２は外レール１０５と内レール１０６に囲まれ、内レール１０６の遊技領域左側先端に設けられる戻り防止可動部材１０９とファール球回収口１０４との間の発射流路１０２を転動する遊技球が検出可能になるよう備わる。発射戻り球の検出手段としては遊技球が通過したことを検出できるファール球事前検出センサ２０１と２０２とを近傍に並べて設置し、遊技球の通過検出順番を元にファール球が発生したことを検知する方法、あるいは複数の羽３０２を有し、遊技球が衝突すると所定角度だけ回転する回転弁３０１の回転方向を元にファール球が発生したことを検知する方法など遊技球の移動方向を検出できる構成であればよい（詳細は後述する）。
【００３０】
＜センサ同士の間隔が遊技球の直径よりも長い場合＞
ファール球事前検出の検出状態としては図７を元に説明を行う、ファール球事前検出センサ２０１、２０２使用した場合、正常に発射あった場合はファール球事前検出センサ２０１、２０２の検出状態例として、
状態１  センサ１→未検出、センサ２→未検出
状態２  センサ１→検出、センサ２→未検出
状態３  センサ１→未検出、センサ２→検出
状態４  センサ１→未検出、センサ２→未検出
センサ1  センサ２
状態1   0       0
状態2   1       0
状態3   0       1
状態4   0       0
【００３１】
＜センサ同士の間隔が遊技球の直径よりも短い場合＞
また、ファール球事前検出センサ２０１、２０２の検出部の間隔によっては、
状態１  センサ１→未検出、センサ２→未検出
状態２  センサ１→検出、センサ２→未検出
状態３  センサ１→検出、センサ２→検出
状態４  センサ１→未検出、センサ２→検出
状態５  センサ１→未検出、センサ２→未検出
センサ1  センサ２
状態1   0       0
状態2   1       0
状態3   1       1
状態4   0       1
状態5   0       0
の順番で検出を行う場合のみ正常な発射と判断する。したがってこれ以外の検出状態の場合はファール球が事前に（ファール球回収通路に流入する前に）発生していることを示しており、ファール球を事前に検出することが可能となる。
【００３２】
また回転弁３０１を利用した場合の検出状態を図８を元に説明を行う。遊技球が発射されて回転弁３０１を正常に追加する場合、遊技球は回転弁３０１が備わる場所を１回のみ通過するため、図８の（ａ）正常発射の場合のように特定回数のみ弁通過センサＡ３０３、弁通過センサＢ３０４が検出する。他方、発射戻り球が発生した場合は図８（ｂ）戻り玉の場合に図示するように、遊技球は、回転弁が備わる場所を正常発射（図８（ａ）正常発射の場合）の場合より多くの回数通過するため、弁通過センサＡ３０３、弁通過センサＢ３０４を前記特定回数より多い回数通過するためファール球を事前に検出することが可能となる。
【００３３】
ファール球事前検出実施例１の効果として、発射戻り球がファール球センサ２０３に到達する前に、事前にファール球が発生したことを検知することができるため、ファール球を検出するための待ち時間を減少できる。換言すると、ファール球が発生する場合において、遊技球が発射されてからファール球が発生したことを検知するまでの時間を短縮することができる。
【００３４】
また、またはファール球事前検出センサ２０１、２０２の検出を契機に一定時間発射装置１０１を停止させる、または発射モータ（図示せず）を一定時間電断する（動作を停止させる）ことで連続してファール球が発生してしまうことを抑制しても良い。このようにファール球事前検出機能を搭載することで、フォール球またファール球センサ２０３を悪用するゴト行為の実施を困難にすることが可能である。
【００３５】
（ファール球事前検出実施例２）
発射戻り球を回収する通路として、従来のファール球回収通路１０３に加えて第２のファール球回収通路５０１を設けてもよい。図９を元に説明を行うと、第２のファール球回収通路５０１は、外レール１０５の途中に設けられ、内レールの遊技領域左側先端に設けられる戻り防止可動部材１０９とファール球回収口１０４との間の発射流路１０２に備わる。また、第２のファール球回収通路５０１の回収口５０２の入り口には開閉部材５０３が設けられる。開閉部材５０３は常に開状態となるような方向に付勢されており常時発射戻り球を受け入れ可能となっており発射した遊技球が衝突すると閉方向に揺動するようになっている。遊技領域１０８に流入することなく第２のファール球回収通路５０１に流入した遊技球はファール球センサ２０３を通過後、遊技領域１０８の裏面に設けられたファール球連絡流路（図示せず）に合流する。
【００３６】
このような構成にすることで、発射戻り球が発射流路１０２を逆流している時間、換言すると、発射戻り球がいずれかのファール球入球口へ回収されるまでの時間を、従来の発射装置の隣のみにファール球回収口１０４を設けられる遊技機に比べて短時間にすることができ、戻り玉と発射球との玉つき抑制や発射球数の管理に関する制御が簡易になる利点がある。
【００３７】
このように、発射流路１０２を逆流する遊技球の検出に関する構成を上述したが、これに限らず発射流路１０２を逆流する遊技球を検出できれば本件記載以外の他の構成を用いて検出するようにしてもよい。
【００３８】
（発射戻り球を賞球口へ誘導）
第１、第２のファール球回収装置を設ける代わりに発射戻り球を賞球個数１個の入賞口６０１に入賞するよう構成してもよい。このように構成した場合にも、１球の遊技球を発射することで遊技者は持ち球を１球失うことになるが、賞球個数１個の入賞口６０１に入賞することで１球の賞球が発生し、結果として持ち球を維持することができる。
【００３９】
図１０を元に説明を行うと、内レール１０６の一部に遊技領域に通ずるレール開口６０２が設けられ、ファール球事前検出実施例２と同様に開閉部材６０３が常時開状態で備わっている。レール開口６０２に流入した遊技球は遊技領域１０８を流下し、賞球個数１個の入賞口６０１に入球する。賞球個数１個の入賞口６０１は入球口６０６が内レール１０６と遊技釘６０５に周囲を囲まれており、正常発射し、遊技領域１０８を流下する遊技球は１００％入球することが無いが、レール開口６０２に流入した遊技球は１００％入球する構成となっている。このように構成することにより、賞球個数１個の入賞口６０１に入球させることで不正に持ち球を増加させることができないよう構成することができる。
【００４０】
賞球個数１個の入賞口６０１に入球した遊技球は、入賞センサ（図示せず）を通過後、所定の流路を流下することとなる。また、賞球管理手段は遊技者に賞球１個の価値を付与する（管理遊技機の場合、持ち球を電気的に管理するよう構成されているため、賞球が発生することを、価値を付与すると表現する場合がある）。
【００４１】
このような構成にすることで、発射戻り球が発射流路を逆流している時間、換言すると、発射戻り球がファール球回収口１０４へ入球され、ファール球センサ２０３で検出されるまでの時間を、従来の発射装置の隣のみにファール球回収口１０４が設けられる遊技機に比べて短時間にすることができ、戻り玉と発射球との玉突き抑制や発射球数の管理に関する制御が簡易になる利点がある。また、入賞口に入球した後、通常の入賞口に入球した遊技機の流路として特別な構造を持たなくてもよい。また、遊技をやめる際に、球返却手段を用いても回収できない発射位置等に残留した残留球を空打ちにて簡便且つ短時間で回収することが可能となる。
【００４２】
（発射球数管理の電断対策）
管理遊技機は通常の遊技機と異なり、発射装置によって発射した遊技球数、発射戻り球となってファール球回収通路に流入した流入数、遊技領域に発射され、入賞した入賞球数とアウト口１１０に流入したアウト球数、入賞した遊技球数とアウト口１１０に流入した流入数を合計した使用済み球数、をそれぞれ検出してＩＮＯＵＴ球数やクレジット球数として管理している。もし、遊技中（打球操作中）に電断が発生すると、各計数センサが発射流路１０２や遊技領域１０８、各回収流路（図示せず）に残留している多くの玉の計数ができなくなってしまう。発射装置１０１によって遊技球が発射され、当該発射された遊技球は計数されたものの、電源断が発生した後に遊技球がファール球回収通路１０３に流入した場合には、当該流入した遊技球は計数されなくなってしまう。入賞球数に関しては遊技者に有利な状態中でも各役物の動作が停止するため大きな差玉が生じないが、それ以外の特には遊技領域に存在している多く遊技球の未カウント球数が発生してしまう。
【００４３】
そこで本実施例は、ファール球カウントセンサ２０３、アウト球カウントセンサ（図示せず）、使用済み球カウントセンサ（図示せず）の手前に貯留装置を設ける。例としてファール球センサ部２０３の構造説明図である図１１、およびフローチャート図１６、図１７、図１８、図１９を用いて説明すると、ファール球センサ２０３の入球口７０１の上部には、電断を検知するとファール球センサ２０３の入球口７０１への流入を阻止する阻止手段７０２が機能する。そして阻止手段７０２は作動完了するタイミングののちにファール球センサ２０３は遊技球の検出が不能となるこの動作が電断処理の一環として行われることによりファール球センサ２０３が遊技球を検知できなくなる前に遊技球の入球を阻止する。このように電断により各種センサが機能しなくなることによる発射球数のカウント不能を事前に防ぐことが可能となる。また、電断処理の優先度として阻止手段７０２の作動は上位であるため、阻止手段７０２作動前の処理量より阻止手段７０２作動後の処理量の方が多く、また、電圧に余裕があるうちに阻止手段７０２を作動できる。
【００４４】
また、上記に記載のファール球事前検出センサ２０１、２０２を用いた電断処理を行ってよい。この場合電断発生時の所定時間前にファール球事前検出センサ２０１、２０２において発射戻り球の検出があった場合は電断処理においてファール球検出センサ２０３の上部に設けられた阻止手段７０２の作動優先度を上げて実行する。ファール球事前検出センサ２０１、２０２の検出が無い場合は優先度を下げて阻止手段７０２を作動させるようにしてもよい。これにより発射球同士の玉突きを起因とする短時間でファール球センサ２０３に到達してしまう現象が発生しても阻止手段７０２でファール球センサ２０３への入球を阻止できる。
【００４５】
または電断発生時に球詰まり等の非常時を除くファール球が発生した場合に遊技球がファール球センサ２０３まで到達する最大時間ｔを設定し、電断発生後時間ｔ経過するまでファール球センサ２０３を有効にしたのち、所定時間ｔに達したら阻止手段７０２を作動させるようにしてもよい。これにより電断復帰後の残留球処理の機会を低減できる。なおこの制御を他のカウントセンサ（たとえば使用済み球を計測する使用済み球センサ）に用いてもよい。
【００４６】
電断復帰時においては、所定の電断復帰処理の終了後にて、各センサが遊技球を検出可能になると貯留装置が解除され、各センサが貯留された遊技球の通過を検出し、各センサごとに検出した球数が管理手段に記憶される。
【００４７】
このような構成にすることで、いかなるタイミングで電断が発生しても遊技球管理においてＩＮＯＵＴ玉の差異が生じることない遊技機を提供することできる。本件ではセンサの入球口直上に阻止手段を設けてカウントセンサが遊技球をカウントが不可能となる前にカウントセンサの入球口を阻止する構成で説明したが、これに限らず例えば、遊技球管理に関するハード装置を非常電源により所定時間延命させ、電断後に遅延してカウントセンサの入球口に流下する遊技球をもれなく検出できるような構成等、電源電断によるカウントセンサのカウント機能喪失による遊技球管理の不具合を防ぐ構成であればなんでもよい。
【００４８】
（跳ね返り戻り球防止手段その1）
通常発射された遊技球は発射流路１０２を上昇し遊技領域１０８に放たれるが、まれに遊技領域１０８に放たれた一部の遊技球はたとえば遊技釘６０５やセンター飾り１１１に衝突後、そのまま発射流路１０２方向に逆流する跳ね返り戻り球という現象が発生する。一般的には内レール先端に設けられた弁１１２等の戻り玉防止構造１０９により発射流路に遊技球は逆流せず遊技領域１０８を流下していくが、まれに遊技球が遊技領域に放たれた際、開放した戻り玉防止構造１０９の弁１１２が閉じる前に遊技球が発射流路１０２に侵入してしまい、以後玉突きやフォール球を発生してしまう原因となっていた。
【００４９】
そこで本実施例では、複数（本実施例では４枚）の羽根を持つ回転弁８０１を用いて跳ね返り戻り球を防止する。図１２、図１３を元に説明をすると回転弁８０１は発射流路１０２の遊技領域１０８側の出口である内レール１０６の先端部１０７に設けられる。回転弁８０１には歯止め９０１と歯車９０２が内蔵されており、歯止め９０１の先端部９０４は常に歯車９０２に付勢されており、歯止め９０１が歯車９０２の凹部９０３に位置すると、歯車９０２は特定の回転方向（例えば時計回り方向）のみ回転を許容し、特定の回転方向と逆の方向には回転しない。 また、歯止め９０１の先端部９０４が凹部９０３に位置している場合、特定方向に回転させるための歯止め９０１にかけられている付勢方向と逆の方向への応力が必要なため歯止め９０１は常に任意の凹部９０３に位置決めされる。
【００５０】
次に作動状態について説明する。発射装置１０１によって発射された遊技球は発射流路１０２を上昇し、羽根８０２に衝突後、遊技領域１０８に侵入する。羽根８０２は遊技球が衝突後、所定の角度（本実施例では９０度）時計回りに回転したところで停止する。そのため、羽根８０２は常に発射流路１０２の入口を塞ぐ状態を維持するようになっており遊技領域１０８から遊技球が発射流路１０２への逆流を防止するようになっている。
【００５１】
このような機能を持つ回転弁８０１を発射流路１０２と遊技領域１０８の境目となる内レール先端部１０７に備えることで従来のファール球返し手段より跳ね返り戻り玉の発生を防止（少なく）することが可能となる。
【００５２】
本件では回転弁８０１の逆回転防止の機構としてラチェット機構を採用したが、これに限らずたとえばフリクション機構など逆回転を規制する機構を採用してもよい。または、逆回転を検出する構造を用いて逆回転の検出を契機に、前述した図９発射流路１０２の逆流球を別の流路に逃がす第２のファール球流路５０１や図１０で説明した特殊な入賞口６０１へ誘導する構造を採用してもよい。
【００５３】
（跳ね返り戻り球防止手段その２）
第２の実施例として従来の戻り玉防止弁を複数設ける構成で跳ね返り戻り球防止を行ってもよい。図１４、図１５を元に説明をすると戻り玉防止弁Ａ１００１は発射流路１０２の遊技領域１０８側の出口である内レールＡ１００５の先端部１００６に設けられる。さらに発射流路１０２の軌道延長上には内レールＢ１００７が設けられ、その先端には戻り玉防止弁Ｂ１００３が設けられる。そして内レールＢ１００７の後端部１００９と戻り玉防止弁Ａ１００１（内レールＡ１００５の先端部１００６）との隙間１０１０は遊技球１球が通過できる間隔を備えている。
【００５４】
このような構成にすることで、戻り玉防止弁Ｂ１００３が開状態の時に跳ね返り戻り球が流入しても戻り玉防止弁Ａ１００１はすでに閉状態であるため、発射流路１０２に流入することなく戻り玉防止弁Ａ１００１の弁１００２に衝突後、隙間１００１を通じて遊技領域１０８を流下していく。また戻り玉防止弁Ｂ１００３に達しないような弱打ち発射球の場合、跳ね返り戻り球が発生しても移動速度が遅いため戻り玉防止弁Ａ１００１が閉止する前に跳ね返り戻り球が流入することはない。また内レールＢ１００７を設けることで戻り玉防止弁Ｂのボディに遊技球が衝突し跳ね返り戻り球が発生してしまうことを防ぐことができる。
【００５５】
本件では内レールＡ１００５と内レールＢ１００７を別構成部品で説明しているが、同一部品で製造してもよい。もしくは内レールＢ１００７を戻り玉防止弁Ｂ１００３の構造に組み入れた戻り玉防止弁Ａ１００１（内レールＡ１００５の先端部１００６）で隙間１０１０を構成するようにしてもよい。また内レールＢ１００７の発射流路面１０１１（図１４（Ｂ））のように変更することで内レールＢ１００７の端部１００９に発射球が衝突しないようにすれば、より確実に跳ね返り戻り球を発生させないようにできる。
【００５６】
その他の実施例として上述した戻り球検出センサ１０２、１０３や回転弁３０１に関し、発射球数も検出し発射球数センサ（図示せず）による発射球数と照合する制御を行ってもよい。発射球数センサ（図示せず）の故障を早期に検出する機能を管理遊技機に搭載してもよい。また、電断時に作動するブロッカー機能７０２を、電波検出や磁石検出した場合に即時に作動させるよう構成してもよい。例えば、不正行為ではない外部ノイズや外部電波によって遊技機が異常動作を起こすことがあり、その場合には、ファール球センサ２０３や使用済み球センサ（図示せず）が機能しなくなる恐れがあるが、このような制御を行うことで遊技球管理を正確に行うことができる。
【００５７】
ファール球事前検出実施例１、例２に関して概要をまとめると以下のようになる。
遊技球を発射装置で発射後、外レールと内レールに囲まれた発射流路を転動後、遊技領域を流下し、前記遊技領域に達しなかった遊技球はファール球回収口に流入する弾球遊技機において、
前記発射流路の前記ファール球回収口と遊技領域入口との間に挟まれた領域には
前記発射流路を下方に逆流した遊技球を検出する事前ファール球検出手段を備える
という特徴を有する。
【００５８】
発射戻り球を賞球口へ誘導する構成に関して概要をまとめると以下のようになる。
遊技球を発射装置で発射後、外レールと内レールに囲まれた発射流路を転動後、遊技領域に到達後流下する弾球遊技機において、
発射流路の前記ファール球回収口と遊技領域入口との間に挟まれた領域には、戻り玉誘導弁が設けられ、
前記発射装置で発射され、遊技領域に到達しなかった遊技球のうち、一部の遊技球は前記戻り玉誘導弁により、誘導された遊技球は前記遊技領域の一部に設けられた特殊入賞口へ必ず入賞し、
前記特殊入賞口は商品球の数が１であり、発射流路を転動後、遊技領域に到達した遊技球は絶対入賞しない
という特徴を有する。
【００５９】
発射球数管理の電断対策に関して概要をまとめると以下のようになる。
ファール球と、遊技に使用した遊技使用済み球をカウントするカウントセンサを少なくとも有した弾球遊技機において、
前記カウントセンサの入球口の上方には前記入球口への入球を阻止する状態にすることが可能なストッパを有しており、
前記ストッパは電断検出信号に基づき前記カウントセンサが無効となる前に前記入球口への入球を阻止する状態になる
という特徴を有する。
【００６０】
跳ね返り戻り球防止手段に関して概要をまとめると以下のようになる。
遊技球が発射装置によって発射されると、遊技球が上方に転動移動を行う発射流路と、
複数の障害物によって遊技球が落下の方向を変化させながら流下する遊技領域を
有した弾球遊技機において、
前記発射流路と遊技領域の境目部には複数の羽根を有して回転運動を行う回転弁を有し
前記回転弁は所定方向とは逆の方向に回転させる応力に対して回転を阻止する阻止機構が設けられ、
さらに、前記回転弁の一部は遊技球が触れられないよう保護部が設けられている
という特徴を有する。
【符号の説明】
【００６１】
案内通路  １０２、ファール球事前検出センサ  ２０１  ２０２、
回転弁  ３０１、弁通過センサＡ  ３０３、弁通過センサ  Ｂ３０４
第２のファール球回収通路  ５０１
賞球個数１個の入賞口  ６０１、開閉部材  ６０３
阻止手段  ７０２
回転弁  ８０１、羽根  ８０２
歯止め  ９０１、歯車  ９０２
戻り玉防止弁Ａ  １００１、戻り玉防止弁  Ｂ１００３、内レールＡ  １００５
内レールＢ  １００７
【図１】
2020103576.tif 000003
【図２】
2020103576.tif 000004
【図３】
2020103576.tif 000005
【図４】
2020103576.tif 000006
【図５】
2020103576.tif 000007
【図６】
2020103576.tif 000008
【図７】
2020103576.tif 000009
【図８】
2020103576.tif 000010
【図９】
2020103576.tif 000011
【図１０】
2020103576.tif 000012
【図１１】
2020103576.tif 000013
【図１２】
2020103576.tif 000014
【図１３】
2020103576.tif 000015
【図１４】
2020103576.tif 000016
【図１５】
2020103576.tif 000017
【図１６】
2020103576.tif 000018
【図１７】
2020103576.tif 000019
【図１８】
2020103576.tif 000020
【図１９】
2020103576.tif 000021